(57)【要約】本発明は、制御されるユニット（２１）から制御線（１）を介して懸吊される懸吊制御装置（２０）に関する。この懸吊制御装置は、特に巻上機を制御するための制御スイッチまたは懸吊押しボタンスイッチである。制御線（１）は、制御信号を伝送するための電線（２）と、重力および牽引力を吸収するために頂部をユニット（２１）に支持された張力解除装置（２２）とを含んでいる。本発明の目的は、制御線の長さを容易に変更することができる懸吊制御装置を提供することにある。この目的のために、予め定められた線長を巻き取り繰り出すための電線（２）用の格納装置が、懸吊制御装置（２０）からユニット（２１）の方向に見たとき、前記張力解除装置の支持体の背後に配置される。
2005538006.tif 000002
【特許請求の範囲】
【請求項１】
制御されるユニット（２１）から制御線（１）を介して懸吊される懸吊制御装置（２０）、特に巻上機を制御するための制御スイッチまたは懸吊押しボタンスイッチであって、制御線（１）が制御信号を伝送するための電線（２）と、重力および牽引力を吸収するために頂部をユニット（２１）に支持された張力解除装置（２２）とを含んでいる懸吊制御装置において、
予め定められた線長を巻き取り繰り出すための電線（２）用の格納装置が、懸吊制御装置（２０）からユニット（２１）の方向に見たとき、前記張力解除装置の支持体の背後に配置されることを特徴とする懸吊制御装置（２０）。
【請求項２】
張力解除装置（２２）が繊維ホースのような扁平な折畳み可能なホース（６）から形成され、電線（２）が前記ホースの内側を延び、ホース（６）が電線（２）と共に折り曲げて格納装置内に格納することができることを特徴とする、請求項１に記載の懸吊制御装置（２０）。
【請求項３】
操作者の把持領域（１１）でホース（６）に弾性材料が充填されることを特徴とする、請求項２に記載の懸吊制御装置（２０）。
【請求項４】
前記弾性材料が長さ方向のスリット付き中空円筒（１２）を形成し、そのキャビティ内を電線（２）が延びることを特徴とする、請求項３に記載の懸吊制御装置（２０）。
【請求項５】
ホース（６）が操作者の把持領域（１１）に弾性材料から形成された中空円筒（１２）内を導かれることを特徴とする、請求項１に記載の懸吊制御装置（２０）。
【請求項６】
前記弾性材料が発泡プラスチックから形成されることを特徴とする、請求項３ないし５の一項に記載の懸吊制御装置（２０）。
【請求項７】
ユニット（２１）におけるホース（６）の支持が支持装置（７）によって行われ、当該支持装置は重力および牽引力を前記ホースの外周に均等に分配することを特徴とする、請求項２ないし６の一項に記載の懸吊制御装置（２０）。
【請求項８】
支持装置（７）が、ホース（６）の内側に配設され電線（２）用の連続開口（１６）を持つ円錐台要素（８）と、ホース（６）の外側に配設され、ユニット（２１）に支持され、前記円錐台要素の形状と一致する漏斗状要素（９）とから形成され、円錐台要素（８）が重力および牽引力によって漏斗状要素（９）内に引き込まれてホース（６）をユニット（２１）に軸方向に固定することを特徴とする、請求項７に記載の懸吊制御装置（２０）。
【請求項９】
漏斗状要素（９）の少なくとも一部がユニット（２１）の一部であることを特徴とする、請求項８に記載の懸吊制御装置（２０）。
【請求項１０】
円錐台要素（８）および漏斗状要素（９）が各々長さ方向に沿って分割され、二つの接合半体から形成されることを特徴とする、請求項８または９に記載の懸吊制御装置（２０）。
【請求項１１】
支持装置（７）が、ホース（６）の軸線方向の固定を解除するために円錐台要素（８）を外側から上方に押し上げることのできる可動要素（１０）を有し、そのために可動要素（１０）は内方に向けられた突耳（１５）を備え、円錐台要素（８）に係合することを特徴とする、請求項７ないし１０の一項に記載の懸吊制御装置（２０）。
【請求項１２】
可動要素（１０）が漏斗状要素（９）に対して長さ方向に案内されることを特徴とする、請求項１１に記載の懸吊制御装置（２０）。
【請求項１３】
円錐台要素（８）の下方変位が漏斗状要素（９）によって制限され、上方変位が漏斗状要素（９）の突耳（１５）によって制限されることを特徴とする、請求項８ないし１０の一項に記載の懸吊制御装置（２０）。
【請求項１４】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
予め定められた線長を巻き取り繰り出すための電線（２）用の格納装置が懸吊制御装置（２０）とユニット（２１）との間に配置され、ケーブル状張力解除装置（２２）および電線（２）がユニット（２１）から下方に導かれ、少なくとも一つの下部転向点（２２ａ）で再び上に戻り、転向要素（２２ｂ）を介して再び懸吊制御装置（２０）に導かれてそれに接続されるように形成され、ケーブル状張力解除装置（２２）および電線（２）が着脱自在のクランプ（２３）によって下部転向点（２２ａ）に一緒に固定されることを特徴とする懸吊制御装置（２０）。
【請求項１５】
ケーブル状張力解除装置（２２）および電線（２）が共通フラットケーブルとして形成され、その中をスチールロープの形態のケーブル状張力解除装置（２２）が両側で延びることを特徴とする、請求項１４に記載の懸吊制御装置（２０）。
【請求項１６】
重力下で動作する偏向ローラ（２６）が下部転向点（２２ａ）に形成され、転向要素（２２ｂ）が同様に偏向ローラ（２６）であることを特徴とする、請求項１４ないし１５の一項に記載の懸吊制御装置（２０）。
【請求項１７】
懸吊制御装置（２０）に接続されたフラットケーブル端が、重力を生じる錘要素（２５）に固定することができることを特徴とする、請求項１６に記載の懸吊制御装置（２０）。
【請求項１８】
フラットケーブル端が錘要素（２５）に設けられた連続開口（１６）内を導かれ、その中で固定することができることを特徴とする、請求項１７に記載の懸吊制御装置（２０）。
【請求項１９】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
ケーブル状張力解除装置（２２）および電線（２）が、ユニット（２１）に配設された支持要素（２８）に着脱自在に固定される共通ケーブルとして形成され、支持要素（２８）は中間にランド要素を挟んで隣接する二つの連続開口（１６）を有し、その周りに二つの連続開口（１６）内を延びるケーブルがセルフクランプ固定のために導かれるようにしたことを特徴とする懸吊制御装置（２０）。
【請求項２０】
支持要素（２８）が板状であることを特徴とする、請求項１９に記載の懸吊制御装置（２０）。
【請求項２１】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
予め定められた線長を巻き取り繰り出すための電線（２）用の格納装置が懸吊制御装置（２０）とユニット（２１）との間に配置され、入れ子式に延びる内管（３０）を有しユニット（２１）に固定された実質的に垂直な管（２９）の内側に電線が導かれるように形成され、懸吊制御装置（２０）が前記内管に固定され、二つの可撓管（２９、３０）がプラスチックから作成されることを特徴とする懸吊制御装置（２０）。
【請求項２２】
電線（２）が螺旋形を有することを特徴とする、請求項２１に記載の懸吊制御装置（２０）。
【請求項２３】
内管（３０）にアンダカット（３１）が設けられ、当該内管は軸線方向の固定のために管（２９）の外側に配設され枢動することができるフック要素（３２）によって係合することができ、あるいは逆にフック要素（３２）が内管（３０）に配設され、アンダカット（３１）が管（２９）に配設されることを特徴とする、請求項２１ないし２２の一項に記載の懸吊制御装置（２０）。
【請求項２４】
張力解除装置（２２）がスチールロープによって形成されることを特徴とする、請求項２１ないし２３の一項に記載の懸吊制御装置（２０）。
【請求項２５】
電線（２）が巻枠のような担持要素（３３）の周りに巻き付けられることを特徴とする、請求項２１ないし２４の一項に記載の懸吊制御装置（２０）。
【請求項２６】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
ケーブル状張力解除装置（２２）および電線（２）が共通フラットケーブルとして形成され、予め定められた線長を巻き取り繰り出すための電線用の格納装置が懸吊制御装置（２０）とユニット（２１）との間に配置され、ケーブルが巻枠のような担持要素（３３）の周りに巻き付けられるように形成されることを特徴とする懸吊制御装置（２０）。
【請求項２７】
担持要素（３３）がフィルム接合体のようなケーブルクランプ（３４）として形成されることを特徴とする、請求項２０に記載の懸吊制御装置（２０）。
【発明の詳細な説明】
【技術分野】
【０００１】
本発明は、請求項１の前提部分に係る、制御線を介して制御されるユニットから懸吊される懸吊制御装置、特に巻上機を制御するための制御スイッチまたは懸吊押しボタンスイッチに関する。
【背景技術】
【０００２】
懸吊押しボタンスイッチの形態の懸吊制御装置は、例えばＥＰ０５９２７９５Ａ１（下記特許文献１）およびＤＥＯＳ２６０３４０９（下記特許文献２）から公知であり、それらは、操作者より上方に位置する巻上機の上下動を制御するのに役立つ。懸吊押しボタンスイッチは筺体を有し、そこに一列の押しボタンが配列される。スイッチ筺体はその上端が、接続ケーブルを介して巻上機に接続される。接続ケーブルは外鞘を有し、その中に、制御信号を伝送するための電気制御線と、スチールケーブルまたは金属ケーブルの形態の張力解除装置とが配置される。張力解除装置は重力および牽引力を吸収するのに役立ち、上方で巻上機に固定される。牽引力は、特に操作者が、ビーム上を移動できる巻上機を移動させるために、スイッチ筺体を横方向に引っ張ったときに上昇する。このために、対応するハンドルをスイッチ筺体に設けることができる。他方、シースを追加的に操作者用の把持要素として役立てることができるように、外鞘自体を固体プラスチックから構成することもできる。
【０００３】
【特許文献１】欧州特許公開第０５９２７９５Ａ１号
【特許文献２】ドイツ特許公開第２６０３４０９号
【０００４】
公知の懸吊制御装置の欠点は、それらが一般的に延長できないことにある。ケーブルを短縮することしかできず、その上、その作業には非常に時間がかかる。ひとたび接続ケーブルの長さを設定した後は、使い勝手の悪さにもかかわらず、往々にしてそれで何とか間に合わせなければならない。
【発明の開示】
【０００５】
本発明の目的は、費用をほとんど掛けずに制御線の長さを変更することができる懸吊制御装置を提供することにある。
【０００６】
この目的は、請求項１、１４、１９、２１、および２６の特徴によって達成される。従属請求項は懸吊制御装置の有利な構成を含む。
【０００７】
第一の解決策は、張力解除装置の支持点の後に配置され、懸吊制御装置からユニットの方向を向き、予め定められた線長を巻き取り繰り出すための電線用格納装置を提供する。
【０００８】
さらに、張力解除装置を繊維ホースのように扁平な折畳み可能なホースから形成し、電線はホースの内部を通り、ホースは折り畳んで、電線と一緒に格納装置内に格納することができるようにする。そのような「繊維」ホースを使用することにより、効果的な張力解除および特に制御対象ユニットを引っ張るための制御線の容易把持性を犠牲にすることなく、所要の長さに不必要な制御線の部分を電線と一緒に経済的に格納することが可能になる。ホースを折り畳んで、電線と一緒に格納装置に格納する、つまり縦横に折り畳むことができるとき、結果としてより小さい格納体積になる。
【０００９】
制御線の把持性は、ホースに、少なくとも操作者の把持領域に、弾性材料を充填することによって改善される。
【００１０】
弾性材料を長さ方向のスリット付き中空円筒によって形成し、そのキャビティ内に電線、またはそれらがケーブルを形成する場合にはケーブルを通すと、構造的に単純である。
【００１１】
代替的に、操作者の把持領域に弾性材料から形成された中空円筒内にホースを挿通させることも可能である。
【００１２】
経済的な解決策として、弾性材料を発泡プラスチックから形成することが推奨される。
【００１３】
ホースの寿命を長くするために、ホースは支持装置を介してユニットに支持することが推奨される。これにより重力および牽引力はホースの外周全体に均等に分配される。
【００１４】
単純かつ効率的な支持装置は、電線用の連続開口を持ちホース内部に配置された円錐台要素、およびホースの外側に配置されユニットに当てて支持される、円錐台要素の外部形状に一致する内部漏斗状要素から形成され、円錐台要素は重力および牽引力によって漏斗状要素内に引き込まれてホースをユニットに当てて軸線方向に固定させる。
【００１５】
代替的に、漏斗状要素の少なくとも一部分はユニットの一部分であることが有利である。
【００１６】
組立てを容易にするために、円錐台要素および漏斗状要素を各々長さ方向に沿って分割し、二つの接合半体から形成することが推奨される。
【００１７】
ユニットへのホースの固定を緩めるために、支持装置は、ホースを外側から押すことによって円錐台要素を押し上げることができるようにする可動要素を持ち、そのために該可動要素は円錐台要素と係合する内向きの突耳を備えることが推奨される。
【００１８】
漏斗状要素は、外方に移動可能な可動要素のための長さ方向ガイドを有することが有利である。
【００１９】
不必要な制御線を巻き取るために、支持装置の上に電線用の格納装置を設けることが推奨される。
【００２０】
第二の解決策は、ケーブル状張力解除装置および電線が下方に導かれ、下部転向点で再び少なくとも一回上に戻され、そこで再び転向要素を介して懸吊装置まで下方に導かれ、それに接続されるように構成され、懸吊制御装置とユニットとの間に配置された、予め定められた線長を巻き取り繰り出すための電線用の格納装置を設け、ケーブル状張力解除装置および電線は、緩めることができるクランプによって、下部転向点で一緒に締め付けられる。
【００２１】
第三の解決策では、ケーブル状張力解除装置および電線を、ユニットに配置された支持要素に着脱自在に固定される共通ケーブルとして構成し、セルフクランプ固定のためにケーブルを二つの連続開口内に導くために、支持要素が中間にランドを挟んで隣接する二つの連続開口を持つことが推奨される。
【００２２】
第四の解決策は、入れ子式に延びる内管を有しユニットに固定された実質的に垂直な管の内部に電線が導かれるように構成され、懸吊制御装置とユニットとの間に配置された、予め定められた線長を巻き取り繰り出すための電線用の格納装置を設け、内管に懸吊制御装置が固定され、屈曲可能な管は両方ともプラスチックから形成される。
【００２３】
第五の解決策では、ケーブル状張力解除装置および電線を共通のフラットケーブルとして固定することを提唱し、予め定められた線長を巻き取り繰り出すためのケーブル用の格納装置は懸吊制御装置とユニットとの間に配置され、ケーブルが巻枠の形態の担持要素の周りに巻き付けられるように構成される。
【発明を実施するための最良の形態】
【００２４】
本発明の例示的な実施形態について、以下に図面を用いて説明する。
【００２５】
図１は、制御されるユニット２１（図５参照）の制御信号用の懸吊制御装置２０（図５参照）の制御線１を示しており、懸吊制御装置は、図１に関して言えば、制御線１の底部に固定されている。懸吊制御装置２０は、例えば巻上機を上下動させるために使用される、一列の押しボタンを持つ制御スイッチとすることができる。
【００２６】
制御線１はケーブル３の形態の電線２を有し、その両端の各々に電気コネクタ４、５が固定される。ケーブル３の形態の電線２は、懸吊制御装置２０から制御対象ユニット２１に、すなわちこの例では巻上機に、制御信号を伝送するために働く。電線２を含むケーブル３のうち、下部分だけが図１に示されている。ケーブル３以外に、制御線１は、繊維ホースのような扁平な折畳み可能なホース６の形態の張力解除装置を含む。繊維ホースのようなホース６は、織物または編組物から構成することができる。繊維材料は天然繊維材料のみならず、プラスチックとすることもできる。ケーブル３の外径はホース６の内径に対して、少なくとも１：３、ここでは１：５の関係である。ホース６は、ホースの内側に配置される円錐台要素８および対応する（内部）漏斗状要素９から形成される支持装置７を介して、ユニットの頂部で支持される。要素１０によって、円錐台要素８は、ホース６とユニット２１との間の接続を再び緩めるために、外側から静止漏斗状要素９に対して多少上方に動かすことができる。操作者の把持領域１１では、固体弾性材料から構成され、したがって確実なハンドルを形成し、同時に電線２の保護になる中空円筒１２がホース６の内側に配置される。固体弾性材料はホースの下方の長さ全体にわたって延在することもできる。電線２はその連続開口内を延びるが、長さ方向のスリット１３は電線およびケーブル３を中空円筒内により容易に挿入することを可能にする。操作者の把持領域１１では、ホース６に弾性材料が充填される。弾性材料は適切な強度を持つ弾性発泡プラスチックである。
【００２７】
重力および発生する牽引力を吸収する張力解除装置全体が、ホース６を介してのみ提供される。
【００２８】
代替的に、ケーブル３が内部を延びるホース６はそれ自体、弾性材料から形成された中空円筒内を延びることができ、したがって弾性材料はホース６の外側を取り囲むこともできる。
【００２９】
図２は制御線１の部分断面側面図を示す。図３は対応する正面図を示す。特に図２は、線２が底部から頂部まで延び、一緒に扁平に重ね合わせられ、上方領域で周囲のホースと共に折り畳まれ、ケーブル格納装置１４を形成するケーブルを示す。
【００３０】
さらに、図２は、ホースの外周に重力および牽引力を均等に分配する、動作中の支持装置７を示す。したがって、二つの半体から形成された円錐台要素８はホース６の内側に配置される。その下方変位は漏斗状要素９によって制限され、その上方変位は漏斗状要素９の突耳１５（図１参照）によって制限される。図１に示すように、要素１０は漏斗状要素１５内でガイドピン１０ａによって導かれる。漏斗状要素９はユニット２１、すなわち巻上機に当ててしっかりと支持されるので、牽引力が発生したときに、円錐台要素８は下方に引っ張られ、それによってホースは漏斗状要素９に対して軸線方向に固定される。円錐台要素の形状は言うまでもなく、漏斗状要素９の内部漏斗状要素と一致しなければならない。この方法で、重力および牽引力はホースの外周に均等に分配される。
【００３１】
円錐台要素８は連続開口１６を備え、その中を電線２を含むケーブル３が緩く延びる。要素１０が上方に押し上げられると、それはホース６内に円錐台要素８を引っ張っていくので、円錐台要素８と漏斗状要素９との間の接続が再び緩む。そうすると、頂部で格納装置１４からケーブル３を含むホース６を緩めて、円錐台要素８が押し上げられた状態で、支持装置７を通してそれを下方に引き下げることが可能になり、制御ケーブル１を容易に延長することができる。
【００３２】
逆に、制御ケーブル１はこの方法で短縮することもできる。
【００３３】
図４は、格納装置１４をさらに再び拡大図で示す。
【００３４】
図５は、制御されるユニット２１から制御線２４によって懸吊される、別の懸吊制御装置２０を概略的に示す。フラットケーブルの形態の制御線２４は、制御信号の伝送用の電線２と、ケーブルと一緒に頂部をユニット２１に支持されたスチールロープの形態のケーブルの両端における張力解除装置２２とを含む。制御線２４はユニット２１から下方に導かれ、下部転向点２２ａで再び上に戻され、ローラの形態の転向要素２２ｂを通してもう一度懸吊制御装置２０まで下方に導かれる。制御線２４は下部転向点２２ａの領域で、着脱自在のクランプ２３によって一緒に締め付けられる。
【００３５】
図６は、制御線２４の横断面を示す。
【００３６】
図７は、図５の懸吊制御装置２０の構成を示す。そこでは、重力の下で動作する偏向ローラ２６が下部転向点２２ａを形成し、転向要素２２ｂは同様に偏向ローラとして形成される。ここで、懸吊制御装置２０に接続されたフラットケーブル端は、重力を生み出す錘要素２５である。このために、フラットケーブル端は、錘要素２５に設けられた連続開口内に導かれる。
【００３７】
図８の懸吊制御装置２０では、制御線２４としてのケーブル状張力解除装置２２および電線２は再び、円形断面を持つ共通ケーブルとして構成され、ユニット２１に配置された板状支持要素２８に着脱自在に固定される。ケーブル格納装置１４はここではユニット２１の一部としての自由回転ケーブルドラム２７であり、それはプラグ接続３６によって電線に接続される。
【００３８】
図９に示すように、支持要素２８は、中間にランド要素を挟んで隣接する二つの連続開口を有し、その周りに二つの連続開口内を延びるケーブルがセルフクランプ固定のために導かれる。
【００３９】
別の懸吊制御装置２０を図１０に概略的に示す。懸吊制御装置２０とユニット２１との間に設けられた電線２用の格納装置は、入れ子式に延びる内管３０を有しユニット２１に固定された実質的に垂直な管２９の内側に電線２が導かれるように形成され、懸吊制御装置２０は内管に固定され、二つの可撓管２９、３０はプラスチックで作成される。電線２はここでは螺旋形を有する。張力解除装置２２は、固定することができるスチールロープである。
【００４０】
代替的に、図１１に示すように、内管３０には、管２９の外側に配設された軸線方向の固定用の枢動フック要素３２と係合するアンダカット３１を設けることもできる。逆に、フック要素３２を内管３０に配設し、アンダカット３１を管２９に設けることもできる。
【００４１】
図１０の懸吊制御装置２０の変形を図１２に示す。ここでは、電線２は二つの管２９、３０の内側で巻枠のような支持要素３３の周りに巻き付けられる。スチールロープを一緒に固定するためのクランプ板２５ａにより、高さ調整が行われる。
【００４２】
巻枠のような担持要素３３の拡大図を図１３に示す。
【００４３】
図１４の懸吊制御装置２０では、ケーブル状張力解除装置２２および電線２は共通フラットケーブルとして形成されるので、図１０および図１２の管は省くことができ、ケーブル用の格納装置は、ケーブルが巻枠のような担持要素３３に巻き付けられるように形成される。
【００４４】
担持要素３３は、図１５に示すように、フィルム接合体３４のようなケーブルクランプ３４として構成される。
【図面の簡単な説明】
【００４５】
【図１】制御線の三次元表現および電線を含む支持装置の分解組立図である。
【図２】図１の制御線の部分切欠き側面図である。
【図３】図１の制御線の正面図である。
【図４】図１のケーブル格納装置の拡大図である。
【図５】別の懸吊制御装置の略図である。
【図６】図５の制御線の断面図である。
【図７】図５の懸吊制御装置の構成を示す略図である。
【図８】円形断面を有する共通ケーブルを含む懸吊制御装置の略図である。
【図９】図８の支持要素の略図である。
【図１０】入れ子式に延びる管の懸吊制御装置の略図である。
【図１１】フック要素用のアンダカットを含む図１０の内管の図である。
【図１２】巻枠担持要素を持つ懸吊制御装置の図である。
【図１３】図１２の担持要素の拡大図である。
【図１４】管を持たず、巻枠の形態の担持要素を持つ懸吊制御装置の図である。
【図１５】フィルムヒンジケーブルクランプとしての図１４の担持要素の図である。
【符号の説明】
【００４６】
１      制御線
２      電線
３      ケーブル
４      コネクタ
５      コネクタ
６      ホース
７      支持要素
８      円錐台要素
９      漏斗状要素
１０    要素
１０ａ  ガイドピン
１１    把持領域
１２    中空円筒
１３    長さ方向のスリット
１４    ケーブル格納装置
１５    突耳
１６    連続開口
２０    懸吊制御装置
２１    ユニット
２２    張力解除装置
２２ａ  転向点
２２ｂ  転向点
２３    クランプ
２４    制御線
２５    重力
２６    偏向ローラ
２７    ケーブルドラム
２８    支持要素
２９    管
３０    内管
３１    アンダカット
３２    フック要素
３３    担持要素
３４    ケーブルクランプ
３５    プラグ
【図１】
2005538006.tif 000003
【図２】
2005538006.tif 000004
【図３】
2005538006.tif 000005
【図４】
2005538006.tif 000006
【図５】
2005538006.tif 000007
【図６】
2005538006.tif 000008
【図７】
2005538006.tif 000009
【図８】
2005538006.tif 000010
【図９】
2005538006.tif 000011
【図１０】
2005538006.tif 000012
【図１１】
2005538006.tif 000013
【図１２】
2005538006.tif 000014
【図１３】
2005538006.tif 000015
【図１４】
2005538006.tif 000016
【図１５】
2005538006.tif 000017
【手続補正書】
【提出日】平成16年1月16日(2004.1.16)
【手続補正１】
【補正対象書類名】特許請求の範囲
【補正対象項目名】全文
【補正方法】変更
【補正の内容】
【特許請求の範囲】
【請求項１】
制御されるユニット（２１）から制御線（１）を介して懸吊される懸吊制御装置（２０）、特に巻上機を制御するための制御スイッチまたは懸吊押しボタンスイッチであって、制御線（１）が制御信号を伝送するための電線（２）と、重力および牽引力を吸収するために頂部をユニット（２１）に支持された張力解除装置（２２）とを含んでいる懸吊制御装置において、
ユニット（２１）に対する懸吊制御装置（２０）の懸吊高さが調整可能であり、懸吊制御装置（２０）の懸吊高さを調整するために、予め定められた線長を巻き取り繰り出すための電線（２）用の格納装置が、懸吊制御装置（２０）からユニット（２１）の方向に見たとき、前記張力解除装置の支持体の背後に配置されることを特徴とする懸吊制御装置（２０）。
【請求項２】
張力解除装置（２２）が繊維ホースのような扁平な折畳み可能なホース（６）から形成され、電線（２）が前記ホースの内側を延び、ホース（６）が電線（２）と共に折り曲げて格納装置内に格納することができることを特徴とする、請求項１に記載の懸吊制御装置（２０）。
【請求項３】
操作者の把持領域（１１）でホース（６）に弾性材料が充填されることを特徴とする、請求項２に記載の懸吊制御装置（２０）。
【請求項４】
前記弾性材料が長さ方向のスリット付き中空円筒（１２）を形成し、そのキャビティ内を電線（２）が延びることを特徴とする、請求項３に記載の懸吊制御装置（２０）。
【請求項５】
ホース（６）が操作者の把持領域（１１）に弾性材料から形成された中空円筒（１２）内を導かれることを特徴とする、請求項１に記載の懸吊制御装置（２０）。
【請求項６】
前記弾性材料が発泡プラスチックから形成されることを特徴とする、請求項３ないし５の一項に記載の懸吊制御装置（２０）。
【請求項７】
ユニット（２１）におけるホース（６）の支持が支持装置（７）によって行われ、当該支持装置は重力および牽引力を前記ホースの外周に均等に分配することを特徴とする、請求項２ないし６の一項に記載の懸吊制御装置（２０）。
【請求項８】
支持装置（７）が、ホース（６）の内側に配設され電線（２）用の連続開口（１６）を持つ円錐台要素（８）と、ホース（６）の外側に配設され、ユニット（２１）に支持され、前記円錐台要素の形状と一致する漏斗状要素（９）とから形成され、円錐台要素（８）が重力および牽引力によって漏斗状要素（９）内に引き込まれてホース（６）をユニット（２１）に軸方向に固定することを特徴とする、請求項７に記載の懸吊制御装置（２０）。
【請求項９】
漏斗状要素（９）の少なくとも一部がユニット（２１）の一部であることを特徴とする、請求項８に記載の懸吊制御装置（２０）。
【請求項１０】
円錐台要素（８）および漏斗状要素（９）が各々長さ方向に沿って分割され、二つの接合半体から形成されることを特徴とする、請求項８または９に記載の懸吊制御装置（２０）。
【請求項１１】
支持装置（７）が、ホース（６）の軸線方向の固定を解除するために円錐台要素（８）を外側から上方に押し上げることのできる可動要素（１０）を有し、そのために可動要素（１０）は内方に向けられた突耳（１５）を備え、円錐台要素（８）に係合することを特徴とする、請求項７ないし１０の一項に記載の懸吊制御装置（２０）。
【請求項１２】
可動要素（１０）が漏斗状要素（９）に対して長さ方向に案内されることを特徴とする、請求項１１に記載の懸吊制御装置（２０）。
【請求項１３】
円錐台要素（８）の下方変位が漏斗状要素（９）によって制限され、上方変位が漏斗状要素（９）の突耳（１５）によって制限されることを特徴とする、請求項８ないし１０の一項に記載の懸吊制御装置（２０）。
【請求項１４】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
予め定められた線長を巻き取り繰り出すための電線（２）用の格納装置が懸吊制御装置（２０）とユニット（２１）との間に配置され、ケーブル状張力解除装置（２２）および電線（２）がユニット（２１）から下方に導かれ、少なくとも一つの下部転向点（２２ａ）で再び上に戻り、転向要素（２２ｂ）を介して再び懸吊制御装置（２０）に導かれてそれに接続されるように形成され、ケーブル状張力解除装置（２２）および電線（２）が着脱自在のクランプ（２３）によって下部転向点（２２ａ）に一緒に固定されることを特徴とする懸吊制御装置（２０）。
【請求項１５】
ケーブル状張力解除装置（２２）および電線（２）が共通フラットケーブルとして形成され、その中をスチールロープの形態のケーブル状張力解除装置（２２）が両側で延びることを特徴とする、請求項１４に記載の懸吊制御装置（２０）。
【請求項１６】
重力下で動作する偏向ローラ（２６）が下部転向点（２２ａ）に形成され、転向要素（２２ｂ）が同様に偏向ローラ（２６）であることを特徴とする、請求項１４ないし１５の一項に記載の懸吊制御装置（２０）。
【請求項１７】
懸吊制御装置（２０）に接続されたフラットケーブル端が、重力を生じる錘要素（２５）に固定することができることを特徴とする、請求項１６に記載の懸吊制御装置（２０）。
【請求項１８】
フラットケーブル端が錘要素（２５）に設けられた連続開口（１６）内を導かれ、その中で固定することができることを特徴とする、請求項１７に記載の懸吊制御装置（２０）。
【請求項１９】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
ケーブル状張力解除装置（２２）および電線（２）が、ユニット（２１）に配設された支持要素（２８）に着脱自在に固定される共通ケーブルとして形成され、支持要素（２８）は中間にランド要素を挟んで隣接する二つの連続開口（１６）を有し、その周りに二つの連続開口（１６）内を延びるケーブルがセルフクランプ固定のために導かれるようにしたことを特徴とする懸吊制御装置（２０）。
【請求項２０】
支持要素（２８）が板状であることを特徴とする、請求項１９に記載の懸吊制御装置（２０）。
【請求項２１】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
予め定められた線長を巻き取り繰り出すための電線（２）用の格納装置が懸吊制御装置（２０）とユニット（２１）との間に配置され、入れ子式に延びる内管（３０）を有しユニット（２１）に固定された実質的に垂直な管（２９）の内側に電線が導かれるように形成され、懸吊制御装置（２０）が前記内管に固定され、二つの可撓管（２９、３０）がプラスチックから作成されることを特徴とする懸吊制御装置（２０）。
【請求項２２】
電線（２）が螺旋形を有することを特徴とする、請求項２１に記載の懸吊制御装置（２０）。
【請求項２３】
内管（３０）にアンダカット（３１）が設けられ、当該内管は軸線方向の固定のために管（２９）の外側に配設され枢動することができるフック要素（３２）によって係合することができ、あるいは逆にフック要素（３２）が内管（３０）に配設され、アンダカット（３１）が管（２９）に配設されることを特徴とする、請求項２１ないし２２の一項に記載の懸吊制御装置（２０）。
【請求項２４】
張力解除装置（２２）がスチールロープによって形成されることを特徴とする、請求項２１ないし２３の一項に記載の懸吊制御装置（２０）。
【請求項２５】
電線（２）が巻枠のような担持要素（３３）の周りに巻き付けられることを特徴とする、請求項２１ないし２４の一項に記載の懸吊制御装置（２０）。
【請求項２６】
制御されるユニット（２１）から制御線（２４）を介して懸吊される懸吊制御装置（２０）、特に巻上機を制御するための制御スイッチまたは懸吊押しボタンスイッチであって、制御線（２４）が制御信号を伝送するための電線（２）と、重力および牽引力を吸収するために頂部をユニット（２１）に支持された張力解除装置（２２）とを含む懸吊制御装置において、
ケーブル状張力解除装置（２２）および電線（２）が共通フラットケーブルとして形成され、予め定められた線長を巻き取り繰り出すための電線用の格納装置が懸吊制御装置（２０）とユニット（２１）との間に配置され、ケーブルが巻枠のような担持要素（３３）の周りに巻き付けられるように形成されることを特徴とする懸吊制御装置（２０）。
【請求項２７】
担持要素（３３）がフィルム接合体のようなケーブルクランプ（３４）として形成されることを特徴とする、請求項２０に記載の懸吊制御装置（２０）。
【国際調査報告】
2005538006.tif 000018
2005538006.tif 000019
2005538006.tif 000020
2005538006.tif 000021
2005538006.tif 000022
2005538006.tif 000023